(57)【特許請求の範囲】
【請求項１】
樹脂製シンク側面の上部に、シンク外側水平方向に突出するフランジ部を形成し、該フランジ部の上方に突設する上端部の突設位置を、天板の厚み寸法と略同一の位置となるように前記フランジ上面と当接する前記天板のシンク取付穴の下周面を研削し、前記フランジ部を前記下周面に、前記シンクのフランジ部上端部を天板のシンク取付穴の内周面に夫々接合固着したことを特徴とする天板と樹脂製シンクの接合構造。
【請求項２】
前記シンクの上端部内周面を、シンク内方向へ傾斜させ、前記天板頂部と前記シンク上端部頂部当接部を研削したことを特徴とする請求項１に記載の天板と樹脂製シンクの接合構造。
【請求項３】
前記シンクの上端部外周面を、前記フランジ部方向へ傾斜させ、かつ、前記天板のシンク取付穴の内周面を下方に拡径するように傾斜させ、前記天板頂部と前記シンク上端部頂部当接部を研削したことを特徴とする請求項１に記載の天板と樹脂製シンクの接合構造。
【請求項４】
前記天板の裏面でシンクの外周部に補強板を配設したことを特徴とする請求項２または請求項３のいずれかに記載の天板と樹脂製シンクの接合構造。
【発明の詳細な説明】
【技術分野】
【０００１】この発明は、天板と人造大理石等の樹脂製シンクの接合構造に係り、特に、人造大理石製の天板の開口部に人造大理石製のシンクを取り付けて、洗面部や洗い部を得るための接合構造に関する。
【背景技術】
【０００２】
従来、人工大理石カウンターに洗面部（洗面ボウル）や洗い部（シンク）を設けるには、人工大理石製の天板に設けた開口部に対して、上方側が開放されたシンクを取り付けており、天板の開口部の周縁下面に、上記シンクの上周縁部を接着剤や取付金具を用いて取付固定しているのが現状である。
【０００３】
その一例として、特許文献１に示すような接合構造が公知である。この特許文献１に示す接合構造は、人工大理石天板の下面に人工大理石の上端フランジ部を接合して接着剤などで固定していた。
【０００４】
【特許文献１】特許第３３４５３２０号公報
【発明の開示】
【発明が解決しようとする課題】
【０００５】
しかしながら、上記従来の接合構造にあっては、シンクの上端フランジ部と天板の下面との接合面積がそれ程大きくなく、その結果、接合強度が小さいという問題を有していると共に、シンクと天板のシンク取付穴との取付誤差をなくするため接合後の研削作業が煩雑であり、接合部を面一に仕上げるのが難しく、外観品質が損なわれ、特に、強度を上げるために、ガラス粒等の無機系充填材や補強材を混合した人造大理石を研削する場合、研削部分の耐汚染性等の物性が著しく低下するという問題を有していた。そのため、従来の接合構造では、接合部を仕上げるために、広範囲に研削を施さなければならず、研削部の品質の低下は避けられなかった。
【０００６】  この発明は、かかる現状に鑑み創案されたものであって、その目的とするところは、シンクと天板との接合面積を大きくして接合強度を向上させることができ、シンクと天板のシンク取付穴との接合部の研削作業を簡略化することができると共に、接合部の品質を損なうことがない天板と樹脂製シンクの接合構造を提供しようとするものである。
【課題を解決するための手段】
【０００７】  上記目的を達成するため、請求項１に記載した発明は、樹脂製シンク側面の上部に、シンク外側水平方向に突出するフランジ部を形成し、該フランジ部の上方に突設する上端部の突設位置を、天板の厚み寸法と略同一の位置となるように前記フランジ上面と当接する前記天板のシンク取付穴の下周面を研削し、前記フランジ部を前記下周面に、前記シンクのフランジ部上端部を天板のシンク取付穴の内周面に夫々接合固着したことを特徴とする。【０００８】請求項２に記載の発明は、請求項１を技術的前提とし、前記シンクの上端部内周面を、シンク内方向へ傾斜させ、前記天板頂部と前記シンク上端部頂部当接部を研削したことを特徴とする。【００１０】  請求項３に記載の天板と樹脂製シンクの接合構造は、請求項１に記載の天板と樹脂製シンクの接合構造を技術的前提とし、前記シンクの上端部を、前記フランジ部方向へ傾斜させ、かつ、前記天板のシンク取付穴の内周面を下方に拡径するように傾斜させた、前記天板頂部と前記シンク上端部頂部を研削したことを特徴とする。【００１１】請求項４に記載の天板と樹脂製シンクの接合構造は、請求項２または請求項３のいずれかに記載の天板と樹脂製シンクの接合構造を技術的前提とし、前記天板の裏面でシンクの外周部に補強板を配設したことを特徴とする。
【発明の効果】
【００１３】この発明にあっては、以上のように構成されているので、シンクと天板との接合面積を大きくして接合強度を向上させることができ、シンクと天板のシンク取付穴との接合部の研削作業を簡略化することができると共に、接合部の品質を損なうことがない。また、天板とシンクとの接合部を段差がなく一体化・連続性を容易に得ることができ、外観品質を容易に向上させることができると共に、研削作業も頂部（角部）を線状または細い帯状に研削するだけなので、研削加工面が同一面上の接ぎに比べ少なくでき、容易に行うことができ、更に、天板のシンク取付穴の抜き加工は、裏側から行うことができるため、該研削部の研削加工が容易で、天板の厚みの製造バラツキを容易に均一化することができ、接合時の厚み方向の調整を容易に行うことができる。    
【発明を実施するための最良の形態】
【００１４】
以下、添付図面に示す実施形態例に基づいて、この発明を詳細に説明する。
【００１５】
図１は、この発明の第１実施形態例に係る樹脂製シンクの一種である人造大理石シンクと天板の接合構造を示す分解断面図を、図２は同接合構造の研削状態を示す断面図を、図３は同接合構造の完成状態を示す断面図である。
【００１６】
この実施形態例では、ポリエステル樹脂、アクリル樹脂、エポキシ樹脂等の人造大理石で形成された平板状の天板１に、シンク取付穴２を貫設して形成されている。
【００１７】
また、上記シンク取付穴２に接合される略凹状に形成されたシンク１０は、その側面１３の上部に、シンク外側水平方向に突出するフランジ部１１が形成されており、該フランジ部１１の突設位置は、天板１の厚み寸法ｔとシンク１０の頂部１５からフランジ部１１の上面までの距離ｌが略同一位置に突設されていると共に、該シンク１０の上端部１２は、シンク内方向へ傾斜して形成されている。尚、この人造大理石シンク１０の材質や色調は、人造大理石製天板１の材質・色調と同一で形成できるが、この発明にあっては、材質・色調を異ならしめることで、様々なデザインや見栄えを得ることができる。
【００１８】
このように構成された天板１とシンク１０とを接合固定する場合には、図２に示すように、人造大理石シンク１０の前記フランジ部１１を天板１の下面３に、前記シンク１０のフランジ部１１より上部１２を天板１のシンク取付穴２の内周面に接着剤１４で夫々接合固着する。このとき、シンク１０と天板１との接合面積は、シンク取付穴２の内周面と下面とで、接合面積を従来の接合面積より大きくとることができるので、接合強度を大きくすることができる。
【００１９】
この後、天板１とシンク１０の頂部１５とを、グラインダー（図示せず）で研削することで、図３に示すように、天板１とシンク１０との接合部を段差がなく一体化・連続性を容易に得ることができ、外観品質を容易に向上させることができると共に、研削作業も頂部（角部）を線状または細い帯状に研削するだけなので、研削加工面が同一面上の接ぎに比べ少なくでき、容易に行うことができる。
【００２０】
図４は、この発明の第２実施形態例に係る樹脂製シンクの一種である人造大理石シンクと天板の接合構造を示す分解断面図を、図５は同接合構造の研削状態を示す断面図を、図６は同接合構造の完成状態を示す断面図である。
【００２１】
この実施形態例では、天板１のシンク取付穴の内周面２Ａを下方に拡径するように傾斜させて形成されていると共に、シンク１０の上端部１２Ａを、前記フランジ部１１の方向へ傾斜させて形成した他は、他の構成及び作用は、第１実施形態例の天板１及びシンク１０と同様であるので、図面には第１実施形態例と同じ符号を付して、その詳細な説明をここでは省略する。
【００２２】
このように構成された天板１とシンク１０とを接合固定する場合には、図５に示すように、人造大理石シンク１０の前記フランジ部１１を天板１の下面３に、前記シンク１０のフランジ部１１より上部１２Ａを天板１１のシンク取付穴の内周面２Ａに接着剤で夫々接合固着する。このとき、シンク１０と天板１との接合面積は、シンク取付穴２の内周面２Ａと下面とで、接合面積を従来の接合面積より大きくとることができるので、接合強度を大きくすることができる。
【００２３】
この後、天板１とシンク１０の頂部１５とを、グラインダー（図示せず）で研削することで、図６に示すように、天板１とシンク１０との接合部を段差がなく一体化・連続性を容易に得ることができ、外観品質を容易に向上させることができると共に、研削作業も頂部（角部）を線状又は細い帯状に研削するだけなので、研削加工面が同一面上の接ぎに比べ少なくでき、容易に行うことができる。
【００２４】
図７は、第２実施形態例の補強構造を示しており、前記天板１の裏面でシンク１０の外周部に補強板５を接着により配設し、該補強板５とシンク１０の間隙部に樹脂６を充填し、Ｌ字型金具７垂直辺先端部を前記フランジ部１１に当接させ、水平片部をビス８で固定したものである。この補強構造によれば、取り付け強度の更なる向上を図ることができる。
【００２５】
図８は、他の実施形態例を示しており、この実施形態例では、天板１のシンク取付穴２の下周面の研削部３を、前記フランジ部１１の突設位置（厚さ寸法）に合わせて研削加工してシンク１０を取り付ける場合を示している。天板１のシンク取付穴２の抜き加工は、裏側から行うことができるため、該研削部３の研削加工が容易で、天板１の厚みの製造バラツキを容易に均一化することができ、接合時の厚み方向の調整を容易に行うことができる。
【００２６】
図９は、シンク１０に前記フランジ部が突設されていない場合の接合構造を示しており、この実施形態例では、前記天板１の裏面でシンク１０の外周部に補強板５を接着により配設し、該補強板５と、フランジ部が突設されていない逆Ｌ字状の上端突部を、第２実施形態例のように、天板１のシンク取付穴の内周面を下方に拡径するように傾斜させて形成した人造大理石シンク１０との間隙部に樹脂６を充填し、Ｌ字型金具７垂直辺先端部を前記シンク１０の上端突部の裏面に当接させ、水平片部をビス８で固定したものである。このとき、天板１の上面１６からシンク取付穴の角度αとシンク上端部の角度βの合計θは、１８０度未満となるように接合する（θ（＝α＋β）＜１８０度）。望ましくは、９０度以上１６０度未満が、強度的にもよく、人体を傷つける心配もなく、研削品質も損なう心配がない。
【００２７】
この実施形態例によれば、研削部が線状又は細い帯状となるため、フランジ部がない場合であっても研削が容易となる。また、合計した角度が１６０度より大きく１８０度未満の場合は、接合部以外を研削してしまう可能性があり、研削の精度が要求されることもあるが、本発明の権利範囲には含むものとする。
【図面の簡単な説明】
【００２８】
【図１】この発明の第１実施形態例に係る樹脂製シンクと天板の接合構造を示す分解断面図である。
【図２】同接合構造の研削状態を示す断面図である。
【図３】同接合構造の完成状態を示す断面図である。視説明図である。
【図４】この発明の第２実施形態例に係る樹脂製シンクと天板の接合構造を示す分解断面図である。
【図５】同接合構造の研削状態を示す断面図である。
【図６】同同接合構造の完成状態を示す断面図である。
【図７】この発明の他の実施形態例に係る樹脂製シンクと天板の接合構造を示す断面図である。
【図８】この発明のさらに他の実施形態例に係る樹脂製シンクと天板の接合構造を示す断面図である。
【図９】この発明のシンクにフランジ部がない場合の樹脂製シンクと天板の接合構造を示す断面図である。
【符号の説明】
【００２９】
１  人造大理石シンク
２，２Ａ  シンク取付穴
５  補強板
６  樹脂
７  Ｌ字型金具
８  ビス
１０  人造大理石シンク（樹脂製シンク）
１１  フランジ部
１２  上端部
１３  シンク側面
１４  接着剤
１５  頂部
１６  天板上面
１７  天板上面角部
【図１】
0005062393.tif 000002
【図２】
0005062393.tif 000003
【図３】
0005062393.tif 000004
【図４】
0005062393.tif 000005
【図５】
0005062393.tif 000006
【図６】
0005062393.tif 000007
【図７】
0005062393.tif 000008
【図８】
0005062393.tif 000009
【図９】
0005062393.tif 000010